【事件の表示】
　特許第３３６４３６６号「ファクシミリ装置」の請求項１に係る特許に対する特許異議の申立てについて、次のとおり決定する。
【結　論】
　訂正を認める。
　本件特許異議の申立てを却下する。
【理　由】
１．手続の経緯
　特許第３３６４３６６号の請求項１及び２に係る発明についての出願は、平成７年８月１６日に特許出願され、平成１４年１０月２５日にその特許権の設定登録がなされた後、宮崎　洋子より特許異議の申立てがなされ、取消理由が通知され、その指定期間内である平成１６年５月１１日に訂正請求がなされたものである。
　
２．訂正の適否についての判断
（１）訂正の内容
　（ア）訂正事項ａ：特許請求の範囲の請求項１を削除し、請求項２の項番を繰り上げて請求項１と訂正する。
　（イ）訂正事項ｂ：特許明細書段落【０００７】を削除する。
　（ウ）訂正事項ｃ：同段落【０００８】を、
「
【課題を解決するための手段】前記目的を達成するため、
と訂正する。
　（エ）訂正事項ｄ：同段落【００１１】の第１行、同段落【００１７】の第２行、同段落【００１９】の第１行及び同段落【００２２】の第７行の「第１実施形態」を「参考例」と訂正する。
　（オ）訂正事項ｅ：同段落【００２１】の第１行及び同段落【００２２】の第１行の「第２実施形態」を「第１実施形態」と訂正する。
　（カ）訂正事項ｆ：同段落【００２４】の第１行及び同段落【００２８】の第１行の「第３実施形態」を「第２実施形態」と訂正する。
　（キ）訂正事項ｇ：同段落【００２９】の第１行の「第１，２実施形態」を「参考例，第１実施形態」と訂正する。
　（ク）訂正事項ｈ：同段落【００３２】を「
さらに、
　（ケ）訂正事項ｉ：同【図面の簡単な説明】を、
「【図１】本発明の
実施形態を説明するための参考例
【図２】本発明の
参考例
【図３】本発明の
参考例
【図４】本発明の第
１
【図５】本発明の第
２
【符号の説明】１…給紙トレー、　２…給紙コロ、　７…レジスト前センサ、　８…感光体ベルト、　12…転写チャージャ、　14…クリーニング器、　16…画像書込み部、　23…記録出力部、　25…画像メモリ、　27…システムメモリ、　28…システム制御部。」
と訂正する。
　
（２）訂正の目的の適否、新規事項の有無及び特許請求の範囲の拡張・変更の存否
　（ア）訂正事項ａは、特許請求の範囲の減縮を目的とした明細書の訂正に該当し、新規事項の追加に該当せず、実質上特許請求の範囲を拡張し又は変更するものではない。
　（イ）訂正事項ｂ〜ｉは、訂正事項ａにおいて訂正された記載との整合をとるために発明の詳細な説明及び図面の簡単な説明の記載を形式上訂正するものであり、明瞭でない記載の釈明を目的とするものである。そして、訂正事項ｂ〜ｉは、願書に添付した明細書又は図面に記載した事項の範囲内においてされたものであり、また、実質上特許請求の範囲を拡張し、又は変更するものではない。
　
（３）むすび
　以上のとおりであるから、上記訂正は、特許法第１２０条の４第２項及び同条第３項において準用する特許法第１２６条第２項から第４項までの規定に適合するので、当該訂正を認める。
　
３．特許異議申立てについての判断
　請求項１に係る発明は、訂正の結果削除され、特許異議の申立ての対象が存在しないので、この特許異議の申立は、不適法な申立てであって、その補正をすることができないものであるのである。
　したがって、特許法第１２０条の６第１項で準用する同法第１３５条の規定によって却下すべきものである。
　よって、結論のとおり決定する。
【異議決定日】
平成１６年６月１０日（２００４．６．１０）
【訂正の要旨】
審決（決定）の【理由】欄参照。
（５４）【発明の名称】
ファクシミリ装置
（５７）【特許請求の範囲】
　【請求項１】　
受信データに基づいて電子写真感光体にトナー像を形成する記録手段と、給紙部に記録紙として装填されたカット紙を給紙する通常の搬送モードあるいは紙不送り発生の際に再給紙する再搬送モードの設定が可能な給紙手段と、該給紙手段によって転写位置に搬送されたカット紙に前記電子写真感光体のトナー像を転写する転写手段を備えたファクシミリ装置において、前記受信データを蓄積する画像メモリと、受信開始時に前記画像メモリの空き容量と受信データ総容量とを比較する比較手段と、前記受信データの総容量よりも画像メモリの空き容量が大きいときは前記再搬送モードを選択し、また空き容量が小さいときには通常の搬送モードを選択する選択手段と、前記給紙手段からのカット紙を給紙開始から搬送所定位置において検知する検知手段と、前記再搬送モードを選択した場合は、前記検知手段でカット紙を一定時間内で検知しない場合においては検知されるまで一定回数の給紙再搬送を行い、前記通常の搬送モードを選択した場合は、前記検知手段でカット紙を一定時間内で検知しない場合においては給紙再搬送を行わせないようにさせると共に、前記検知手段でカット紙が検知されたときには、受信データに基づき前記電子写真感光体にトナー像の画像形成書き込みを行うように制御する制御手段とを備えたことを特徴とするファクシミリ装置
【発明の詳細な説明】
　【０００１】
　【発明の属する技術分野】
　本発明は、記録紙としてカット紙を使用するファクシミリ装置に関するものである。
　【０００２】
　【従来の技術】
　近年、記録紙としてカット紙を使用する電子写真方式のファクシミリ装置が普及してきている。このようなファクシミリ装置では、例えば、送信側のファクシミリ装置からの信号を受信することにより、給紙トレーや給紙カセット等の給紙部に記録紙として装填されたカット紙を搬送開始し、また受信信号における画情報から感光体ベルト等の電子写真感光体にトナー像を形成する。給紙部から搬送されたカット紙は、レジスト前センサによって検知された後、レジストローラ対によって電子写真感光体に形成されたトナー像に同期して搬送開始される。電子写真感光体に対向した転写器は、転写位置に搬送されてきたカット紙に電子写真感光体上のトナー像を静電的に転写する。転写完了後、カット紙は定着器に搬送されてトナー像が加熱定着され、装置から排紙される。
　【０００３】
　無人で信号を受信してカット紙に記録を行うことが前提である上記したようなファクシミリ装置では、給紙部に装填されたカット紙が何らかの原因で不送りになった場合、受信エラーとなって受信および記録が中断されてしまう。このような場合の信頼性を高くすることが可能な装置として、例えば、本件出願人により出願された特願平６−２３７３５５号明細書には、受信画像記録紙としてカット紙を用いるファクシミリ装置において、画像形成時にカット紙の不送りが発生した場合に、カット紙の再搬送を行い、しかも不送りの際に電子写真感光体に残留する未使用トナーがカット紙を汚すことを防止するようにした構成が示されている。
　【０００４】
　すなわち、前記特願平６−２３７３５５号明細書におけるファクシミリ装置では、カット紙の不送りが発生した場合に、カット紙の再搬送を行い、しかも、レジスト前センサがカット紙を検知するまで、転写器に転写時とは逆特性の電圧を印加し、カット紙に転写されないトナー像を感光体上に残すようにして、そのトナー像をクリーニング部材によって回収してトナーによる汚れの発生を防いでいる。
　【０００５】
　【発明が解決しようとする課題】
　前記特願平６−２３７３５５号明細書におけるファクシミリ装置では、再搬送時にカット紙にトナーが転写されることを防止できるが、不送り時であってもトナー像が形成される構成であるため、無駄にトナーが消費され、そのトナー像を形成したトナーをクリーニング部材によって回収する必要があり、トナーの無駄な消費およびクリーニング部材の劣化を早めるという点において問題である。
　【０００６】
　そこで、本発明は、前記従来の問題に鑑みて、トナーの無駄な消費をなくし、クリーニング部材の劣化を早めることなく、カット紙の不送りが発生したときにトナー汚れのない再搬送が行われるファクシミリ装置を提供することを目的とする。
　【０００７】
　【課題を解決するための手段】
　前記目的を達成するため、本発明は、
受信データに基づいて電子写真感光体にトナー像を形成する記録手段と、給紙部に記録紙として装填されたカット紙を給紙する通常の搬送モードあるいは紙不送り発生の際に再給紙する再搬送モードの設定が可能な給紙手段と、該給紙手段によって転写位置に搬送されたカット紙に前記電子写真感光体のトナー像を転写する転写手段を備えたファクシミリ装置において、前記受信データを蓄積する画像メモリと、受信開始時に前記画像メモリの空き容量と受信データ総容量とを比較する比較手段と、前記受信データの総容量よりも画像メモリの空き容量が大きいときは前記再搬送モードを選択し、また空き容量が小さいときには通常の搬送モードを選択する選択手段と、前記給紙手段からのカット紙を給紙開始から搬送所定位置において検知する検知手段と、前記再搬送モードを選択した場合は、前記検知手段でカット紙を一定時間内で検知しない場合においては検知されるまで一定回数の給紙再搬送を行い、前記通常の搬送モードを選択した場合は、前記検知手段でカット紙を一定時間内で検知しない場合においては給紙再搬送を行わせないようにさせると共に、前記検知手段でカット紙が検知されたときには、受信データに基づき前記電子写真感光体にトナー像の画像形成書き込みを行うように制御する制御手段とを備えたことを特徴とする
　【０００８】
　【発明の実施の形態】
　以下、本発明の好適な実施の形態を図面に基づいて説明する。
　【０００９】
　図２は本発明に係るファクシミリ装置の
実施形態を説明するための参考例
　【００１０】
　記録紙搬送時には、図示しない給紙モータおよび給紙クラッチがオンして、搬送ローラ対５およびレジストローラ対６を回転させる。その後、給紙コロ２へ給紙クラッチを介して駆動力が伝達し、給紙コロ２を回転させる。給紙コロ２が１回転することにより給紙トレー１内の最上部のカット紙Ｐを搬送ローラ対５側へ給送する。公知のように、当初、カット紙Ｐの先端は分離爪４に係止されているが、給紙コロ２の搬送力を受けて最上部のカット紙Ｐが、分離爪４を下側のカット紙Ｐから１枚ずつ離れ、搬送ローラ対５によってレジストローラ対６方向へ搬送される。カット紙Ｐは、その先端がレジスト前センサ７をオンにし、レジストローラ対６によって感光体ベルト８手前の待機位置まで搬送されて停止する。
　【００１１】
　画像形成時には、感光体ベルト８は、矢印Ａ方向に移動するとともに除電ランプ１５によって残留電荷が中和され、さらに帯電器１０によって均一に帯電された後、画像書込み部１６からのレーザ光Ｌによって走査されることにより、静電潜像が形成される。現像器１１は、静電潜像の露光領域あるいは非露光領域の一方にトナーを転移させることにより、静電潜像をトナー像に現像する。
　【００１２】
　そして、レジストローラ対６は、停止させていたカット紙Ｐを感光体ベルト８のトナー像に同期させて搬送を開始する。カット紙Ｐは、転写チャージャ１２と感光体ベルト８との間の転写位置に搬送されて、転写チャージャ１２によって感光体ベルト８上のトナー像が静電的に転写される。転写完了後、カット紙Ｐは、定着器１３に搬送されてトナー像が定着される。
　【００１３】
　図１は前記ファクシミリ装置における制御系を示すブロック図であり、２０は外部との交信を可能にするため画情報や伝送制御のための各種手順信号を送受信するモデム、２１は、電話回線に接続されて、発着信のときに所定の回路制御を行う網制御装置、２２は原稿画像を読み取る原稿読取部、２３は、前記レジスト前センサ７等から検知信号を受け、前記給紙コロ２あるいは画像書込み部１６に対する制御信号および前記原稿読取部２２で読み取った原稿画像信号あるいは受信した画情報を出力する記録出力部、２４は、送信する画情報をデータ圧縮し、また受信した画情報を復号化して元の画情報に復元する符号化／復号化部、２５は送信原稿の画情報あるいは必要に応じて受信画情報を蓄積する画像メモリである。
　【００１４】
　さらに、２６はオペレータが各種操作を行う入力部と装置の動作状態を表示する表示部とを備えた操作表示部、２７は予め登録される情報あるいは通信動作時に一時的に保持する情報を格納するシステムメモリ、２８は前記各部を制御するシステム制御部、２９は前記各部が相互間で各種制御信号あるいはデータを授受するための信号ラインのシステムバスである。
　【００１５】
　図３は
参考例
　【００１６】
　前記給紙において、カット紙Ｐがレジスト前センサ７まで搬送されると（Ｓ１−４のＹＥＳ，Ｓ１−６のＹＥＳ）、前記画像メモリ２５に蓄積された受信データに基づき、記録出力部２３から画情報を出力させ、前記感光体ベルト８を中心にした画像形成書き込み処理を開始させる（Ｓ１−７）。そして、カット紙Ｐに対するトナー像の転写（Ｓ１−８），定着（Ｓ１−９），排紙（Ｓ１−１０）を公知のように順次行わせる。
　【００１７】
　このように、
参考例
　【００１８】
　ところで、ほとんどの受信データは、その先端部，ＣＳＩ印字部近傍に、現在受信中のページと総ページ数に係る画像情報が付加されており、この画像情報を文字認識することによって受信する総ページ数を知ることができる。また、１枚当たりのメモリ消費量の平均を、予めシステム内に設定値として記憶しておき、受信データの総ページ数と１枚の平均メモリ消費量から、一通信にかかるメモリ容量の概略値を算出することができる。
　【００１９】
　そこで、本発明の第
１
　【００２０】
　図４は前記第
１
参考例
　【００２１】
　前記給紙において、カット紙Ｐがレジスト前センサ７まで搬送されると（Ｓ２−６のＹＥＳ，Ｓ２−８のＹＥＳ）、前記画像メモリ２５に蓄積された受信データに基づき、記録出力部２３から画情報を出力させ、前記感光体ベルト８を中心にした画像形成書き込み処理を開始させる（Ｓ２−１０）。そして、カット紙Ｐに対するトナー像の転写（Ｓ２−１１），定着（Ｓ２−１２），排紙（Ｓ２−１３）を公知のように順次行わせる。
　【００２２】
　本発明の第
２
　【００２３】
　すなわち、現在受信している受信データをメモリに蓄積している途中において、システムにて予め設定されている量のデータを蓄積したときに、メモリの空き容量を調べ、このとき受信データの転送が完了している場合には、前記と同様の不送り時の再搬送モードを選択して、画像形成を開始する。
　【００２４】
　しかし、調べたときのメモリ空き容量が、システムにて設定されているメモリ空き容量より小さいときには、一通信のすべての受信データをメモリに蓄積できないと判断して、前記不送り時のときには再搬送モードでなく、通常の搬送モードを選択して、直ちに画像形成を行う。
　【００２５】
　前記調べたときのメモリ空き容量が、システムにて設定されているメモリ空き容量より小さいときには、システムにて予め設定されている量のデータをメモリに蓄積する。
　【００２６】
　図５は前記第
２
　【００２７】
　そして、
参考例，第１実施形態
　【００２８】
　前記給紙において、カット紙Ｐがレジスト前センサ７まで搬送されると（Ｓ３−７のＹＥＳ，Ｓ３−９のＹＥＳ）、前記画像メモリ２５に蓄積された受信データに基づき、記録出力部２３から画情報を出力させ、前記感光体ベルト８を中心にした画像形成書き込み処理が開始される（Ｓ３−１１）。そして、カット紙Ｐに対するトナー像の転写（Ｓ３−１２），定着（Ｓ３−１３），排紙（Ｓ３−１４）を公知のように順次行わせる。
　【００２９】
　【発明の効果】
　以上説明したように、本発明のファクシミリ装置は、請求項１記載の構成によれば、紙不送りが発生し、カット紙の再搬送が行われたときでも、トナー像形成前に受信データをメモリに蓄積しておくので、従来のような紙不送り時の無駄なトナーの消費をなくすことができ、このため、クリーニング器が無駄なトナー除去のために動作することがないので、クリーニング器の劣化を早めることを防止できる。
　【００３０】
　
さらに
【図面の簡単な説明】
　【図１】
　本発明の
実施形態を説明するための参考例
　【図２】
　本発明の
参考例
　【図３】
　本発明の
参考例
　【図４】
　本発明の第
１
　【図５】
　本発明の第
２
　【符号の説明】
　１…給紙トレー、　２…給紙コロ、　７…レジスト前センサ、　８…感光体ベルト、　１２…転写チャージャ、　１４…クリーニング器、　１６…画像書込み部、　２３…記録出力部、　２５…画像メモリ、　２７…システムメモリ、　２８…システム制御部。